(57)【要約】【課題】氷に直接接した状態で回転させることにより急速冷却を可能にすると共に内部掃除が容易に行なえるようにする。【解決手段】冷蔵室３と製氷室５とを上下に仕切る仕切壁１５に、前記冷蔵室３側から冷却ケース３３の出し入れが可能となるケース収納部３１を設ける一方、前記冷却ケース３３に開閉蓋４３と周囲を氷によって取囲まれた水平姿勢の飲料容器３７を回転自在に保持する保持手段４５とを設け、その保持手段４５に、前記ケース収納部３１の外側に配置された動力伝達駆動部５５と、前記動力伝達駆動部５５とケース壁３１ａを挟んで前記冷却ケース３３内に独立して対向配置された動力伝達従動部５７とを有する非接触式の回転駆動手段５３によって回転動力を与え、冷却ケース３３の出し入れに支障が起きないようにする。【選択図】図２
2009024979.tif 000002
【特許請求の範囲】
【請求項１】
冷蔵室と製氷室とを上下に仕切る仕切壁に、前記冷蔵室側から冷却ケースの出し入れが可能となるケース収納部を設ける一方、前記冷却ケースに、開閉蓋と周囲を氷によって取囲まれた水平姿勢の飲料容器を回転自在に保持する保持手段とを設け、前記保持手段は、前記ケース収納部の外側に配置された動力伝達駆動部と、前記動力伝達駆動部とケース壁を挟んで前記冷却ケース内に独立して対向配置された動力伝達従動部とからなる非接触式の回転駆動手段によって回転動力が与えられることを特徴とする冷凍冷蔵庫。
【請求項２】
前記保持手段は、飲料容器の一方を保持する第１保持部と他方を保持する第２保持部とで構成され、前記第２保持部に対向する第１保持部へ向けて常時付勢手段により付勢されていることを特徴とする請求項１記載の冷凍冷蔵庫。
【請求項３】
前記ケース収納部は、仕切壁を構成する断熱材により上方を除いて全周が取囲まれると共に製氷室内の自動製氷機より手前側前方位置に配置されていることを特徴とする請求項１記載の冷凍冷蔵庫。
【発明の詳細な説明】
【技術分野】
【０００１】
本発明は飲料用の缶又はビン等の容器を急速に冷却するのに適する冷凍冷蔵庫に関する。
【背景技術】
【０００２】
飲料用の容器を、急速冷却する手段としては、例えば、飲料容器を氷に接した状態で回転させる回転機構と冷却手段としてベルチェ式電子冷却システムを利用する手段が公知となっている（特許文献１参照）。
【０００３】
あるいは、冷蔵室の前方に、横向きに缶を収納できる急速冷凍室を設け、冷凍室からの冷気によって冷却する手段が公知となっている（特許文献２参照）。
【特許文献１】特開２００５−３３１１５９号
【特許文献２】特開平１０−１７０１２２号
【発明の開示】
【発明が解決しようとする課題】
【０００４】
前者の急速冷却手段は、特に、冷却手段として専用のベルチェ式電子冷却手段を利用する手段となっているため、装置全体が大型化する。装置全体の大型化は庫内収容容積にしわよせが及ぶようになる等の悪影響を招くと共にコストアップにつながる。しかも、内部の掃除がしづらく面倒となる問題をかかえる。
【０００５】
また、後者の急速冷却手段は、掃除がしにくい点に加えて冷凍室からの冷気で冷却するため、冷気リークが大きく冷却効率が悪くなると共に冷蔵室への断熱厚を大きくとらないといけないため収容効率が悪くなる等の問題を招く。
【０００６】
そこで、本発明にあっては、ベルチェ式電子冷却システム等の専用の冷却装置を用いることなく氷に直接接した状態で回転させることで急速冷却を可能にすると共に掃除のし易い冷凍冷蔵庫を提供することを目的としている。
【課題を解決するための手段】
【０００７】
前記目的を達成するために、本発明にあっては、冷蔵室と製氷室とを上下に仕切る仕切壁に、前記冷蔵室側から冷却ケースの出し入れが可能となるケース収納部を設ける一方、前記冷却ケースに、開閉蓋と周囲を氷によって取囲まれた水平姿勢の飲料容器を回転自在に保持する保持手段とを設け、前記保持手段は、前記ケース収納部の外側に配置された動力伝達駆動部と、前記動力伝達駆動部とケース壁を挟んで前記冷却ケース内に独立して対向配置された動力伝達従動部とからなる非接触式の回転駆動手段によって回転動力が与えられることを特徴とする。
【発明の効果】
【０００８】
本発明によれば、飲料容器を急速冷却するには、冷却ケース内に飲料容器と氷を入れてケース収納部にセットし回転させることで専用の冷却装置を用いなくても急速冷却ができる。しかも、仕切壁によって上下の関係に仕切られた製氷室の氷を使用できるため使い勝手の面で優れると共に、冷蔵室内の収納容積に何等悪影響を与えることはない。
【０００９】
また、ケース収納部は専用の冷却装置を必要とせず、しかも、冷蔵室と製氷室とを仕切る仕切壁に設けられているため、邪魔になることなくコンパクトに収めることができる。
【００１０】
また、冷却完了後の冷却ケースはケース収納部から取出すことができるため、冷却ケース内部に溜まった解けた水の処理や掃除を容易に行なうことができる。
【００１１】
また、冷却ケースの掃除完了後はケース収納部にセットすることで非接触式の動力伝達駆動部とケース壁を挟んで動力伝達従動部を対向配置できるため、支障なく飲料容器を保持する保持手段に対して回転動力を与えることができる待機状態が得られるようになる。
【発明を実施するための最良の形態】
【００１２】
本発明を実施するにあたって、第１に前記保持手段にあっては、飲料容器の一方を保持する第１保持部と他方を保持する第２保持部とで構成し、前記第２保持部に対向する第１保持部へ向けて常時付勢手段により付勢することで、サイズの異なる飲料容器に対して支障なく回転保持できるようにすることが望ましい。
【００１３】
第２に前記ケース収納部にあっては、仕切壁を構成する断熱材により上方を除いて全周が取囲まれると共に製氷室内の自動製氷機より手前側前方位置に配置されるようにすることで、デッドスペースを利用して製氷室に何等制約を与えることなく形成できるようにすることが望ましい。
【実施例】
【００１４】
以下、図１乃至図６の図面を参照しながら本発明の実施形態について具体的に説明する。
【００１５】
図１は冷蔵室の開閉扉を省略した冷蔵庫の概要斜視図、図２は図１のＡ−Ａ線拡大断面図、図６は冷蔵庫全体の概要正面図をそれぞれ示している。
【００１６】
冷蔵庫１は上方から冷蔵室３、並列配置された製氷室５及び切替室７、野菜室９、冷凍室１１の順となっていて、前記冷蔵室３はヒンジを支点として開閉するヒンジタイプの開閉扉１３を有する。並列配置された前記製氷室５及び切替室７、野菜室９、冷凍室１１はそれぞれ出し入れ可能な引き出しタイプの引き出し扉５ａ，７ａ，９ａ，１１ａを有している。
【００１７】
冷蔵室３と並列配置された下位の製氷室５及び切替室７を上下に仕切る仕切壁１５はパネル１７とパネル１７の間に断熱材１９が設けられた断熱構造となっている。
【００１８】
製氷室５及び切替室７は図２に示す如く冷凍サイクルを構成する蒸発器２１において熱交換された冷気がファン２３によって送り込まれるようになっていて、切替室７は開閉ドア（図示していない）によって室内の温度をマイナスからプラスまで切替制御可能となっている。
【００１９】
製氷室５は、マイナス温度に設定され前記冷蔵室３内に配置された給水タンク２５からの水で氷を作る自動製氷機２７を製氷室奥に有し、自動製氷機２７によって作られた氷は引き出し式のアイスボックス２９内へ落下するようになっている。冷蔵室３と製氷室５を上下に仕切る前記仕切壁１５にはケース収納部３１が設けられている。
【００２０】
ケース収納部３１は、前記冷蔵室３側から冷却ケース３３の出し入れができるように上方が開放された正面からみて横長の凹部状に形成され、前後、左右、底部は仕切壁１５を構成する断熱材１９によって取囲まれた形状となっている。これにより、製氷室５と冷蔵室３は断熱材１９によって確実に仕切られ、支障なく氷が作れるマイナスの製氷室が得られるようになっている。
【００２１】
ケース収納部３１の上方開放口は仕切壁１５の上面と面一形状となっていて、底部は図２に示す如く下方へ向け張り出している。ケース収納部３１の張り出し部３１ａは、自動製氷機２７の手前側前方位置（図面左側）に配置することで、デッドスペースの利用により製氷室５内に何等制約を与えることなく、しかも、入口手前の位置と相俟って使い勝手に優れる一石二鳥の効果が得られるようになっている。
【００２２】
冷却ケース３３は、図３、図５に示す如く前記ケース収納部３１に対して出し入れ可能な大きさに形成され、ケース内は仕切板３５によって一方は飲料容器３７を入れる容器室３９、他方は周囲全周が取囲まれた独立した動力伝達機械室４１となっている。
【００２３】
容器室３９は、横向きとした缶やビン等の飲料容器３７とその周囲に氷４２が入れられる広さに作られると共に開閉蓋４３によって開閉可能となっている。容器室３９内には飲料容器３７を回転自在に保持する保持手段４５が設けられている。
【００２４】
保持手段４５は飲料容器３７を回転自在に保持できる構造となっていればよく、この実施形態にあっては利用頻度の高い缶を保持するようになっている。具体的には水平姿勢とした飲料容器３７の一方となる頭部３７ａ側を保持する断面コ字状に形成された第１保持手段４７と、他方となる凹部状の底部３７ｂを保持する円弧状の第２保持部４９とで構成されている。
【００２５】
第２保持部４９は付勢ばね５１を有し、対向する第１保持部４７に向けて常時付勢作用が働いている。
【００２６】
これにより、回転時に付勢力によってガタ付くことなく安定した回転が確保されるようにすると共に、長さの異なる飲料容器３７（鎖線・実線）に対して支障なく回転自在に保持することが可能となっている。
【００２７】
第１、第２保持部４７、４９の内、一方の第１保持部４７には非接触式の回転駆動手段５３によって回転動力が与えられる。
【００２８】
非接触式の回転駆動手段５３は、図３に示す如く前記ケース収納部３１の外側に駆動された動力伝達駆動部５５とケース壁３１ａを挟んで対向配置された動力伝達従動部５７とによって構成されている。
【００２９】
動力伝達駆動部５３は、駆動モータ５９とモータ軸に取付けられた駆動用の磁石６１とからなり仕切壁１５内に配置されている。駆動モータ５９は冷蔵室３の開閉扉１３に設けられたスイッチＳによってオン・オフ制御が可能となっている。
【００３０】
動力伝達従動部５７は、前記冷却ケース３３の密閉シールされた動力伝達機械室４１内に配置され前記駆動用の磁石６１とケース壁３１ａを挟んで対向し合う従動用の磁石６３と前記第１保持部４７の回転軸４７ａと接続し合うギヤによる減速部６５とで構成されている。
【００３１】
したがって、駆動用の磁石６１が回転すると従動用の磁石６３は磁力によって回転し、減速部６５、回転軸４７ａを介して第１保持部４２に回転動力が与えられる。この結果、冷却ケース３３はケース収納部３１に対して出し入れが可能になると共に挿入セット完了時には回転駆動手段５３からの回転動力が支障なく伝達される待機状態が確保されるようになっている。
【００３２】
このように構成された冷凍冷蔵庫において飲料容器３７を急速冷却するには、冷蔵室３側から冷却ケース３３を取出し、開閉蓋４３を開けて飲料容器３７を保持手段４５にセットする。次に、製氷室５から氷を取り出し飲料容器３７全体を取囲むように入れる。この時、氷は冷蔵室３下位の製氷室５から取出すことができるため使い勝手に優れると共に容易に取出すことができる。次に、開閉蓋４３を閉めてケース収納部３１内へ挿入セットする。この時、従動用の磁石６３はケース壁３１ａを挟んで駆動用の磁石６１と対向し合い、駆動用の磁石６１の回転でその磁力で回転する。この結果、飲料容器３７は氷に直接接した状態で回転し飲料容器３７の急速冷却を行なえるようになる。
【００３３】
一方、冷却完了後、冷却ケース３３をケース収納部３１から取り出せば解けた水の処理や内部の掃除を容易に行なうことができると共に、動力伝達機械室４１は独立した部屋となっているため、冷却時の解けた水の影響、掃除する時の水の影響を受けることはない。
【図面の簡単な説明】
【００３４】
【図１】冷蔵室の開閉扉を省略した本発明にかかる冷蔵庫の概要斜視図。
【図２】図１のＡ−Ａ線拡大断面説明図。
【図３】図２のＢ−Ｂ線断面説明図。
【図４】ケース収納部から冷却ケースを取外した図３と同様の断面説明図。
【図５】ケース収納部から取外した冷却ケースの断面説明図。
【図６】冷蔵庫の概要正面図。
【符号の説明】
【００３５】
１    冷凍冷蔵庫
３    冷蔵室
５    製氷室
７    切替室
１５    仕切壁
１９    断熱材
３１    ケース収納部
３１ａ    ケース壁
３３    冷却ケース
３７    飲料容器
４２    氷
４３    開閉蓋
４５    保持手段
４７    第１保持部
４９    第２保持部
５１    付勢ばね（付勢手段）
５３    回転駆動手段
５５    動力伝達駆動部
５７    動力伝達従動部
【図１】
2009024979.tif 000003
【図２】
2009024979.tif 000004
【図３】
2009024979.tif 000005
【図４】
2009024979.tif 000006
【図５】
2009024979.tif 000007
【図６】
2009024979.tif 000008